(57)【要約】      （修正有）【課題】気泡管の水泡を見ながら墨付けを行うと高精度で均一の墨付け線を描くことが可能となる気泡管付口引を提供する。【解決手段】箱型金具クリップ付に銅針形丸棒１２を取付け、そして箱型金具クリップ付上部に気泡管１４を取付たもの。これに鉛筆１３を挟み込んだ器具。従来の口引器具では困難だった高精度な垂直の墨付け線を効率的にできることが可能となる。これによって美しい仕事ができるだけではなく人件費の節約も可能である。また円を描くこともできるなど使用の用途も広がり実用性の高い物となっている。【選択図】図４
0003145114.tif 000002
【実用新案登録請求の範囲】
【請求項１】
箱型金具クリップ付に銅針形丸棒を取付け、そして箱型金具クリップ付上部に気泡管を取付たもの。これに鉛筆を挟み込んだ器具。（図４参照）
【考案の詳細な説明】
【技術の分野】
【０００１】建築業で用いる気泡管付口引
【背景技術】
【０００２】従来の技術例を図によって説明する。
図１は、建築物の丸桁と丸柱を結合している図である。図１の１・２の隙間である３を口引器具で均一線を墨付けしている所である。
図２は、柱と基礎石を結合している所。４の上部が凸凹の所に５を建てる。６の部分を隙間なく結合させる時、隙間が広い場合は何度も仮合わせをしなければならない状態である。
【考案の開示】
【考案が解決しようとする課題】
【０００３】図１で天然木の丸桁と天然木丸柱又は角柱の凸凹のある材料を結合する場合、従来工法の図１で隙間が広い場合やまた図２においても同様に隙間が広い場合がある。これらの時、工具を正確な垂直に使用することが困難である。何故ならば、垂直にする装置がついていないためである。
【課題を解決するための手段】
【０００４】課題としてあげた諸問題の解決の手段として気泡管付口引器具を考案する。この器具を使い、気泡管の水泡を見ながら墨付けを行うと高精度で均一の墨付け線を描くことが可能となる。これによって仕事を効率的に行うことができる。
【考案の効果】
【０００５】この考案によって従来の口引器具では困難だった高精度な垂直の墨付け線を効率的にできることが可能となる。これによって美しい仕事ができるだけではなく人件費の節約も可能である。また考案した器具を用いて円を描くこともできるなど使用の用途も広がり従来の器具以上に大変に実用性の高い物となっている。
【考案を実施するための最良の形態】
【０００６】図４のように箱型金具に鉛筆を挟み込み固定し、銅針形丸棒を基準とする部材にあわせて曲げて適した形態とする。
【実施例】
【０００７】図１、図２において気泡管付口引で銅針形丸棒の針先を３・６のような隙間の寸法に合わせて曲げ、図１においては１に針の方を合わせ、図２においては４に針の方を合わせる。次に気泡管の水泡を見ながら水平を図り、墨引き線を描く。
【産業上の利用可能性】
【０００８】特になし。
【図面の簡単な説明】
【０００９】
【図１】天然木丸桁と天然木丸柱との結合図である。
【図２】基礎石と天然木丸柱の結合図である。
【符号の説明】
【００１０】１    天然木丸桁
２    天然木丸柱
３    隙間
４    基礎石
５    天然木丸柱
６    隙間
７    口引き
８    銅針形丸棒
９    鉛筆
１０  箱型金具
１１  箱型金具を広げるためのクリップ
１２  銅針形丸棒
１３  鉛筆
１４  気泡管
【図１】
0003145114.tif 000003
【図２】
0003145114.tif 000004
【図３】
0003145114.tif 000005
【図４】
0003145114.tif 000006
【手続補正書】
【提出日】平成19年12月10日(2007.12.10)
【手続補正１】
【補正対象書類名】実用新案登録請求の範囲
【補正対象項目名】全文
【補正方法】変更
【補正の内容】
【実用新案登録請求の範囲】
【請求項１】
１．  従来のコンパス（図４）である。鉛筆を締めるナット（１２）の上部であるところに考案した気泡管（１３）を取付したものである。
２．  針を従来より長くした針形丸棒（１７）に取り替えたものである。
【手続補正２】
【補正対象書類名】明細書
【補正対象項目名】０００１
【補正方法】変更
【補正の内容】
【０００１】
【考案の属する技術の分野】
本考案は、建物である所の軸組みである（図５  ２１、２４、２７）の結合している所を加工及び刻みをする前の墨付けを行う時に必要な用具である。
【手続補正３】
【補正対象書類名】明細書
【補正対象項目名】０００２
【補正方法】変更
【補正の内容】
【０００２】
【従来の技術】
１．従来の技術例を図によって説明する（図１）
従来の口引（１）の鉛筆（２）と針形丸棒（３）のよって曲線を描いている場面である。図の隙間（４１）を見ればわかるように不正確な線が描かれているその原因は従来の口引にある。その原因は、用具が水平・垂直に使用不可能なためである。
２．従来の口引で曲線を描く方法を説明する（図７）
Ａ１よりＢ１に線を引く。その線に平行に従来の口引きを合わせ線引きをする。
これは大変に手間がかかる墨付け方法である。
【手続補正４】
【補正対象書類名】明細書
【補正対象項目名】０００３
【補正方法】変更
【補正の内容】
【０００３】
【考案が解決するための課題】
従来の口引（図１）では、正確な線を描く事が不可能である。用具に水平・垂直を見る装置がないためである。
【手続補正５】
【補正対象書類名】明細書
【補正対象項目名】０００４
【補正方法】変更
【補正の内容】
【０００４】
【課題を解決するための手段】
従来のコンパスに気泡管を取り付け、その気泡管の水泡を見ながら、水平又は垂直に用具を使用して正確に曲線を描くことにより解決する。
【手続補正６】
【補正対象書類名】明細書
【補正対象項目名】０００５
【補正方法】変更
【補正の内容】
【０００５】
【考案の効果】
本考案によって従来、曲線を描く事が困難であったものが解決し、曲線を描く事が正確且つ迅速になる。それによって能率的になり、人件費の節約につながり実用上有効な考案となる。
【手続補正７】
【補正対象書類名】明細書
【補正対象項目名】０００６
【補正方法】変更
【補正の内容】
【０００６】
【考案を実施するための最良の形態】
（図４）である気泡管付口引の気泡管（１３）の水泡（１４）を見ながら曲線を描く。
【手続補正８】
【補正対象書類名】明細書
【補正対象項目名】０００７
【補正方法】変更
【補正の内容】
【０００７】
【実施例】
（図６）の接合部分（３０）を墨付けをする場合、（図４）である気泡管付口引で（１３，１４，１５）を見ながら曲線を描く。
【手続補正９】
【補正対象書類名】明細書
【補正対象項目名】０００９
【補正方法】変更
【補正の内容】
【０００９】
【図１】天然木丸桁と天然木丸柱との結合図である。
【図２】基礎石と天然木丸柱の結合図である。
【図３】従来の口引き図である。
【図４】考案した気泡管付口引である。
【図５】建物内の軸組図である。
【図６】丸太と丸桁の結合部分の図である。
【図７】従来の口引で線を描く方法図である。
【手続補正１０】
【補正対象書類名】図面
【補正対象項目名】図１
【補正方法】変更
【補正の内容】
【図１】
0003145114.tif 000007
【手続補正１１】
【補正対象書類名】図面
【補正対象項目名】図２
【補正方法】変更
【補正の内容】
【図２】
0003145114.tif 000008
【手続補正１２】
【補正対象書類名】図面
【補正対象項目名】図３
【補正方法】変更
【補正の内容】
【図３】
0003145114.tif 000009
【手続補正１３】
【補正対象書類名】図面
【補正対象項目名】図４
【補正方法】変更
【補正の内容】
【図４】
0003145114.tif 000010
【手続補正１４】
【補正対象書類名】図面
【補正対象項目名】図５
【補正方法】追加
【補正の内容】
【図５】
0003145114.tif 000011
【手続補正１５】
【補正対象書類名】図面
【補正対象項目名】図６
【補正方法】追加
【補正の内容】
【図６】
0003145114.tif 000012
【手続補正１６】
【補正対象書類名】図面
【補正対象項目名】図７
【補正方法】追加
【補正の内容】
【図７】
0003145114.tif 000013
【手続補正書】
【提出日】平成20年2月26日(2008.2.26)
【手続補正１】
【補正対象書類名】実用新案登録請求の範囲
【補正対象項目名】全文
【補正方法】変更
【補正の内容】
【実用新案登録請求の範囲】
【請求項１】
１．    箱型金具の上部に液体中に水泡を封した気泡管を設けた用具である
２．
【手続補正書】
【提出日】平成20年5月7日(2008.5.7)
【手続補正１】
【補正対象書類名】実用新案登録請求の範囲
【補正対象項目名】全文
【補正方法】変更
【補正の内容】
【実用新案登録請求の範囲】
【請求項１】
「箱型金具の上部に液体中に水泡を封した気泡管を設けた用具」
【手続補正２】
【補正対象書類名】図面
【補正の内容】
0003145114.tif 000014
0003145114.tif 000015
0003145114.tif 000016
【手続補正書】
【提出日】平成20年7月18日(2008.7.18)
【手続補正１】
【補正対象書類名】手続補正書
【補正対象項目名】手続補正２
【補正方法】変更
【補正の内容】
【手続補正２】
【補正対象書類名】図面
【補正対象項目名】全図
【補正方法】変更
【補正の内容】
【図１】
0003145114.tif 000017
【図２】
0003145114.tif 000018
【図３】
0003145114.tif 000019
【図４】
0003145114.tif 000020